(57)【要約】画像表示装置１００は、二次元画像を表示する画像表示面１１を備えた表示部１０と、画像表示面１１に離間して配置された画像伝達パネル２０と、を備え、画像表示面１１から出射される光を画像伝達パネル２０の表示部１０と対向する側と反対側に位置する結像面３０に結像して、浮遊画像Ｐ２として表示する浮遊画像表示部１と、二次元画像を表示する画像表示面４１を備えた表示部４０を備え、画像表示面４１に表示される二次元画像を直視画像として表示する直視画像表示部２と、を有し、浮遊画像Ｐ２として表示された所定のオブジェクトが、特定な第１の方向である、浮遊画像の表示位置から画像表示面４１に移動するように、浮遊画像Ｐ２を表示する浮遊画像の制御と、所定のオブジェクトの移動中または移動後に、所定のオブジェクトに対応づけられた処理を実行し、実行された処理を反映した画像を画像表示面上４１に表示する直視画像Ｐ３の制御を行う。
2009044437.tif 000002
【特許請求の範囲】
【請求項１】
二次元画像を表示する第１の画像表示面を備えた第１の表示部と、
前記第１の画像表示面から出射される光の光路に配置された画像伝達パネルと、を備え、
前記第１の画像表示面から出射される光を前記画像伝達パネルの前記第１の表示部と対向する側と反対側に位置する空間に、浮遊画像として表示する浮遊画像表示手段と、
二次元画像を表示する第２の画像表示面を備えた第２の表示部を備え、前記第２の画像表示面に表示される二次元画像を直視画像として表示する直視画像表示手段と、
前記浮遊画像と前記直視画像を連動して制御する画像制御手段と、を有し、
前記画像制御手段は、
所定のオブジェクトを前記浮遊画像として表示し、
前記浮遊画像として表示された前記所定のオブジェクトが、特定な第１の方向である、前記浮遊画像の表示位置から前記第２の画像表示面に移動するように、前記浮遊画像を表示する浮遊画像制御手段と、
前記所定のオブジェクトの移動中または移動後に、前記所定のオブジェクトに対応づけられた処理を実行し、実行された処理を反映した二次元画像を前記第２の画像表示面上に表示する直視画像制御手段と、
を有することを特徴とする画像表示装置。
【請求項２】
前記第２の画像表示面は、前記浮遊画像を観察可能な観察位置から見て、前記浮遊画像の表示位置よりも奥に配置されていること特徴とする請求項１記載の画像表示装置。
【請求項３】
前記画像制御手段は、
前記所定のオブジェクトが、前記第１の方向とは異なる特定の第２の方向に移動した場合には、前記オブジェクトに対応づけられた処理は実行しないことを特徴とする請求項２記載の画像表示装置。
【請求項４】
前記第２の方向には、前記第１の方向に配置された前記第２の画像表示面とは異なる別の第２の画像表示面をさらに有し、
前記画像制御手段は、
前記浮遊画像として表示された前記所定のオブジェクトが、前記第２の方向である、前記浮遊画像の表示位置から前記別の第２の画像表示面に移動するように、前記浮遊画像を表示する第２の浮遊画像制御手段と、
前記所定のオブジェクトの移動中または移動後に、前記所定のオブジェクトに対応づけられた処理を実行しない旨を示す二次元画像を前記別の第２の画像表示面上に表示する第２の直視画像制御手段と、
を有することを特徴とする請求項３記載の画像表示装置。
【請求項５】
前記浮遊画像近傍の空間において、観察者の少なくとも一部である被検出体の位置を検出する位置検出手段をさらに備え、
前記画像制御手段は、
前記位置検出手段が検出した前記被検出体の移動方向が前記第１の方向である場合には、前記浮遊画像制御手段及び前記直視画像制御手段を実行し、前記位置検出手段が検出した前記被検出体の移動方向が前記第２の方向である場合には、前記オブジェクトに対応づけられた処理を実行しない、若しくは前記第２の浮遊画像制御手段及び前記第２の直視画像制御手段を実行することを特徴とする請求項４記載の画像表示装置。
【請求項６】
前記所定のオブジェクトに対応づけられた処理は、前記第２の画像表示面に表示される画像コンテンツの表示に加えて、音楽・音声コンテンツの再生も含むことを特徴とする請求項１乃至５のいずれか１項に記載の画像表示装置。
【請求項７】
前記浮遊画像は、前記第１の画像表示面に表示された二次元画像に基づく実像であることを特徴とする請求項１乃至５のいずれか１項に記載の画像表示装置。
【請求項８】
前記浮遊画像は、前記画像伝達パネルによって空間中の結像面に結像された実像であることを特徴とする請求項７記載の画像表示装置。
【請求項９】
前記浮遊画像制御手段は、
浮遊画像として表示された前記所定のオブジェクトを、前記所定のオブジェクトが最初に表示された第１の地点からより前記第２の画像表示面に近い第２の地点に移動させつつ、前記所定のオブジェクトの大きさを小さくし、最終的には前記所定のオブジェクトを非表示とすることを特徴とする請求項１乃至５のいずれか１項に記載の画像表示装置。
【発明の詳細な説明】
【技術分野】
【０００１】
本発明は、二次元画像を立体的に表示する画像表示装置に関する。
【背景技術】
【０００２】
近年、立体画像を観察者に対して提供する様々なシステムが提案されている。【０００３】
この種の画像表示装置においては、両眼視差を利用することにより、ディスプレイ等の画像表示面上の二次元画像を立体画像として提供する方式が良く知られている。【０００４】
しかしながら、この両眼視差を利用した画像表示装置では、観察者は、対象物体の立体画像として虚像を注視することになるため、画像表示面上に合わされるピント（焦点調節）と輻輳との間に不一致が生じ、観察者に対して生理的な影響を与える可能性がある。【０００５】
そこで、この方式とは別に、画像伝達パネル（例えば、複数のレンズからなるマイクロレンズアレイ）を、二次元画像の画像表示面の前方に所定の間隔を隔てて配置することにより、画像伝達パネルの前方の空間上に、二次元画像の擬似立体画像（浮遊画像）を表示する画像表示装置が提供されている（例えば、特許文献１、特許文献２参照。）。この画像表示装置は、二次元画像を画像伝達パネルによって浮き出させて結像することで、あたかも立体画像が映し出されているように表示するものである。【０００６】
このような画像表示装置の中には、２つの二次元画像の表示面を備え、一方の表示面に映し出される画像は、上述した二次元画像の擬似立体画像として認識させ、他方の表示面に映し出される画像は、直視画像として認識させる画像表示装置も存在する（例えば、特許文献３参照。）【０００７】
【特許文献１】特開２００１−２５５４９３号公報
【特許文献２】特開２００３−９８４７９号公報
【特許文献３】特開２００５−２３４２４０号公報
【発明の開示】
【発明が解決しようとする課題】
【０００８】
上述した２つの二次元画像の表示面を備える画像表示装置は、直視画像と浮遊画像を一体化させた画像表示を行うことができるので、立体的な視覚効果を高めることができる。【０００９】
しかしながら、直視画像と浮遊画像を連動させた画像表示において、立体的な視覚効果をより高めることができれば、より臨場感あふれる画像をユーザに提供することができ、演出効果をさらに高めることができる。【００１０】
また、直視画像と浮遊画像を連動させることにより、従来にはない新規な表示インターフェースを構築できれば、ユーザに直感的でわかりやすい情報表示が可能である。【００１１】
本発明は、上記の事情を鑑みてなされたものであり、その課題の一例としては、直視画像と浮遊画像の連動を強めて、演出効果をより高めることができるとともに、ユーザに直感的でわかりやすい情報表示を行うことができる画像表示装置を提供することにある。
【課題を解決するための手段】
【００１２】
上記の課題を達成するため、本発明の一態様である画像表示装置は、二次元画像を表示する第１の画像表示面を備えた第１の表示部と、前記第１の画像表示面から出射される光の光路に配置された画像伝達パネルと、を備え、前記第１の画像表示面から出射される光を前記画像伝達パネルの前記第１の表示部と対向する側と反対側に位置する空間に、浮遊画像として表示する浮遊画像表示手段と、二次元画像を表示する第２の画像表示面を備えた第２の表示部を備え、前記第２の画像表示面に表示される二次元画像を直視画像として表示する直視画像表示手段と、前記浮遊画像と前記直視画像を連動して制御する画像制御手段と、を有し、前記画像制御手段は、所定のオブジェクトを前記浮遊画像として表示し、前記浮遊画像として表示された前記所定のオブジェクトが、特定な第１の方向である、前記浮遊画像の表示位置から前記第２の画像表示面に移動するように、前記浮遊画像を表示する浮遊画像制御手段と、前記所定のオブジェクトの移動中または移動後に、前記所定のオブジェクトに対応づけられた処理を実行し、実行された処理を反映した二次元画像を前記第２の画像表示面上に表示する直視画像制御手段と、を有することを特徴とする。
【図面の簡単な説明】
【００１３】
【図１】本発明の実施の形態に係る画像表示装置の浮遊画像表示部の外観斜視図である。
【図２】本発明の実施の形態に係る画像表示装置の浮遊画像表示部の側面から見た外観図である。
【図３】本発明の実施の形態に係る画像表示装置の浮遊画像表示部の画像伝達パネルの構成図である。
【図４】本発明の実施の形態に係る画像表示装置の浮遊画像表示部の画像伝達パネルであるマイクロレンズアレイの光学的作用を説明する図である。
【図５】図４に示すマイクロレンズアレイとは異なる構成のマイクロレンズアレイの光学的作用を説明する図である。
【図６】本発明の実施の形態に係る画像表示装置の外観斜視図である。
【図７】本発明の実施の形態に係る画像表示装置及びその変形例の上面図である。
【図８】本発明の実施の形態に係る画像表示装置の機能構成図である。
【図９】本発明の実施の形態に係る画像表示装置の連動演出の動作を示すフローチャートである。
【図１０】図１１と合わせて、本発明の実施の形態に係る画像表示装置の連動演出の演出態様１の画像例を示す図である。
【図１１】図１０と合わせて、本発明の実施の形態に係る画像表示装置の連動演出の演出態様１の画像例を示す図である。
【図１２】本発明の実施の形態に係る画像表示装置の連動演出の演出態様２の画像例を示す図である。
【図１３】図１４と合わせて、本発明の実施の形態に係る画像表示装置の連動演出の演出態様３の画像例を示す図である。
【図１４】図１３と合わせて、本発明の実施の形態に係る画像表示装置の連動演出の演出態様３の画像例を示す図である。
【図１５】本発明の実施の形態に係る画像表示装置の浮遊画像表示部の他の構成を示す図である。
【符号の説明】
【００１４】
１  浮遊画像表示部
２  直視画像表示部
１０，４０，５０，６０  表示部
１１，４１，５１，６１  画像表示面
２０，２０Ａ  画像伝達パネル
２１  レンズアレイ半体
２２  透明基板
２３  マイクロ凸レンズ
２５  マイクロレンズアレイ
３０  結像面
１００，１００Ａ  画像表示装置
１０１  筐体
Ｐ１  二次元画像
Ｐ２，Ｐ２Ａ  浮遊画像
Ｐ３，Ｐ４，Ｐ５  直視画像（二次元画像）
Ｈ  観察者
Ｆ  被検出体
【発明を実施するための最良の形態】
【００１５】
以下、本発明の実施の形態を図面を用いて説明する。【００１６】
本発明の実施の形態に係る画像表示装置１００は、観察者Ｈが立体表示であると視認可能な二次元画像を空間中の所定の平面上に表示する擬似立体画像表示装置であり、大別して、浮遊画像を表示する機能を有する浮遊画像表示部１と、直視画像を表示する直視画像表示部２と、から構成される。ここで、浮遊画像とは、空間中の所定の平面上に表示される二次元画像をいい、観察者Ｈからはあたかも空中に浮かんでいるように見える実像画像である。また、直視画像とは、画像表示面上において観察者Ｈが直視する二次元画像をいう。本発明の実施の形態に係る画像表示装置１００について説明する前に、画像表示装置１００の中核をなす浮遊画像表示部１の構成について説明する。【００１７】
＜浮遊画像表示部の構成＞
図１及び図２は、本発明の実施の形態に係る画像表示装置１００の浮遊画像表示部１の概略構成図である。図１は、浮遊画像表示部１の外観斜視図、図２は、浮遊画像表示部１を側面方向（図１のＡ−Ａ方向）から見たときの外観図である。【００１８】
浮遊画像表示部１は、表示部１０と、表示部１０から離間して配置された画像伝達パネル２０を備える。【００１９】
表示部１０は、二次元画像を表示する画像表示面１１、及び表示部１０を駆動制御するディスプレイ駆動部（図示せず）を具備する構成である。具体的には、表示部１０は、カラー液晶表示装置（ＬＣＤ）を用いることができ、フラットな画像表示面１１と、バックライト照明部及びカラー液晶駆動回路等から構成されるディスプレイ駆動部を備える。勿論、表示部１０は、上記ＬＣＤ以外でもよく、ＥＬ（electro-luminescence）ディスプレイ、プラズマディスプレイ、ＣＲＴ（Cathode Ray Tube）等のディスプレイでもよい。【００２０】
画像伝達パネル２０は、例えば、マイクロレンズアレイ２５によって構成され、そのパネル面を表示部１０の画像表示面１１と略並行に配置する（図１及び図２参照）。マイクロレンズアレイ２５は、図３に示すように、２枚のレンズアレイ半体２１ａ、２１ｂが互いに平行に配列されて構成されている。各レンズアレイ半体２１ａ、２１ｂは、透光性に優れたガラスまたは樹脂からなる透明基板２２の両面に、同一の曲率半径を有する複数の微小なマイクロ凸レンズ２３を二次元状に互いに隣接配置したものである。一面に形成された各マイクロ凸レンズ２３ａの光軸は、対向する位置に形成された他面のマイクロ凸レンズ２３ｂの光軸と同一となるように調整されている。すなわち、同一の光軸を有するように調整されたマイクロ凸レンズ２３ａ、２３ｂの各対は、それぞれの光軸が互いに平行になるように、二次元状に配列されている。【００２１】
マイクロレンズアレイ２５は、表示部１０の画像表示面１１に対して平行に所定距離（マイクロレンズアレイ２５の作動距離）だけ離れた位置に配置されている。マイクロレンズアレイ２５は、表示部１０の画像表示面１１から出射した画像に対応する光を画像表示面１１と反対側の所定距離（マイクロレンズアレイ２５の作動距離）だけ離れた結像面３０上に結像させることにより、画像表示面１１に表示された画像を空間上の二次元平面である結像面３０上に表示するようになっている。この結像された画像は二次元画像であるが、その画像が奥行き感を持つものである場合やディスプレイ上の背景画像が黒くコントラストが強調されているような場合には、空間上に浮いて表示されることから、正面の観察者Ｈからは、あたかも立体画像が映し出されているように見える。なお、結像面３０は、空間上に仮想的に設定される平面であって実体物ではなく、マイクロレンズアレイ２５の作動距離に応じて定義される空間上の一平面である。【００２２】
なお、マイクロレンズアレイ２５の浮遊画像表示パラメータ（具体的には、有効面積（入射される光を結像面３０上に有効に結像できるマイクロ凸レンズ配列面積など）およびマイクロ凸レンズ配列ピッチ）と、表示部１０の浮遊画像表示パラメータ（具体的には、画像表示面１１の画素ピッチ、有効画素面積、画像表示面１１に表示される画像の輝度、コントラストおよび色など）とは、結像面３０に表示される浮遊画像が鮮明に表示されるように、互いに最適化されている。【００２３】
この結果、マイクロレンズアレイ２５は、図４に示すように、表示部１０の画像表示面１１から出射された画像Ｐ１に対応する光をレンズアレイ半体２１ａから入射させ、内部で一回反転させた後、再度反転させてレンズアレイ半体２１ｂから出射させるように調整されて配置されている。これにより、マイクロレンズアレイ２５は、表示部１０の画像表示面１１に表示された二次元画像Ｐ１を、結像面３０上に正立の浮遊画像Ｐ２として表示することができる。【００２４】
より詳しくは、画像表示面１１に表示される二次元画像Ｐ１を形成する光のうち、マイクロレンズアレイ２５の各々のマイクロ凸レンズ２３に対応する領域の画像の光が、各々のマイクロ凸レンズ２３に取り込まれ、各々のマイクロ凸レンズ２３の内部で反転し、再度反転させて出射し、各々のマイクロ凸レンズ２３が結像する正立像の集合として浮遊画像Ｐ２を表示している。【００２５】
なお、マイクロレンズアレイ２５は、レンズアレイ半体２１ａ、２１ｂの二枚一組で構成されるものに限定されず、一枚で構成してもよく、また、３枚以上の複数枚で構成してもよい。勿論、１枚、３枚など奇数枚のレンズアレイ半体２１で浮遊結像を結像させる場合においても、図５（ａ）及び（ｂ）に示すように、マイクロレンズアレイ２５に入射させた光を内部で一回反転させた後、再度反転させるようになっているので、正立の浮遊画像を表示することができる。【００２６】
以上述べたように、マイクロレンズアレイ２５には種々の構成が考えられ、このように構成されたマイクロレンズアレイ２５は、光を結像させる作動距離として、単一の距離でなく、ある一定の有効範囲を持つことが可能となる。【００２７】
なお、本実施の形態においては、画像伝達パネル２０をマイクロレンズアレイ２５としたが、画像伝達パネル２０はマイクロレンズアレイ２５に限定されるものではなく、正立像、望ましくは正立等倍像を結像するものであれば、何であってもよく、他の形態のレンズやレンズ以外の結像作用があるミラーやプリズムでもよい。例えば、マイクロレンズアレイとしては、屈折率分布レンズアレイ、ＧＲＩＮレンズアレイ、ロッドレンズアレイなどであってもよいし、マイクロミラーアレイとしては、ルーフミラーアレイ、コーナーミラーアレイなどでもよいし、また、マイクロプリズムアレイとしては、ルーフプリズムアレイ、ダブプリズムアレイなどでもよい。また、反転像となるが、アレイではなく、必要な有効領域を持つ一つのフレネルレンズでもよい。【００２８】
＜画像表示装置の構成＞
図６、図７（ａ）及び図８は、画像表示装置１００の概略構成図である。図６は、画像表示装置１００の外観斜視図、図７（ａ）は、画像表示装置１００を上方から見た平面図、図８は、画像表示装置１００の左側面図をベースとした機能構成図である。なお、図７（ａ）及び図８においては、基本的な構成要素のみ示し、画像表示装置１００の筐体部分は省略している。【００２９】
画像表示装置１００は、浮遊画像表示部１と、直視画像表示部２と、観察者Ｈと対向する前面に開口部１０２を有し、各部を一体化して形成する筐体１０１と、を備える。なお、図示していないが、画像表示装置１００は、スピーカを具備しており、画像出力だけでなく、音声出力も可能となっている。【００３０】
浮遊画像表示部１は、上述したように、表示部１０と画像伝達パネル２０とから構成され、結像面３０に浮遊画像Ｐ２を表示する。本実施の形態では、表示部１０及び画像伝達パネル２０は、筐体１０１の中央に配置されているので、観察者Ｈは、筐体１０１の略中央において浮遊画像Ｐ２を認識する。なお、本実施の形態においては、結像面３０を浮遊画像面とも称する。【００３１】
直視画像表示部２は、本実施の形態では浮遊画像Ｐ２が表示される結像面３０の周縁に３つの表示部を有し、具体的には、画像伝達パネル２０の左方（−Ｙ方向）に配置された表示部４０、画像伝達パネル２０の右方（＋Ｙ方向）に配置された表示部５０、及び画像伝達パネル２０の前方（＋Ｘ方向）かつ下方（−Ｚ方向）に配置された表示部６０を有する。表示部４０、５０及び６０は、具体的には、表示部１０と同様に、カラー液晶表示装置（ＬＣＤ）を用いることができ、フラットな画像表示面と、バックライト照明部及びカラー液晶駆動回路等から構成されるディスプレイ駆動部を備える。観察者Ｈは、表示部４０が表示する二次元画像Ｐ３（直視画像Ｐ３ともいう）、表示部５０が表示する二次元画像Ｐ４（直視画像Ｐ４ともいう）、表示部６０が表示する二次元画像Ｐ５（直視画像Ｐ５ともいう）をそれぞれ直視可能である。すなわち、観察者Ｈは、４つの画像を視認可能であり、直視画像表示部２が表示する各直視画像Ｐ３、Ｐ４及びＰ５は、浮遊画像Ｐ２の立体感を引き立てる効果も有する。なお、本実施の形態においては、表示部４０の画像表示面４１、表示部５０の画像表示面５１、及び表示部６０の画像表示面６１を直視画像面とも称する。【００３２】
本実施の形態では、図６及び図７（ａ）に示すように、表示部４０の画像表示面４１及び画像伝達パネル２０のパネル面は、同一平面（ＹＺ平面に平行な面）上に配置されている。すなわち、表示部４０の画像表示面４１及び画像伝達パネル２０のパネル面は、観察者Ｈと正対しており、観察者Ｈから見て奥行き方向（−Ｘ方向）に同じ距離離れて配置されている。一方、表示部６０の画像表示面６１は、画像伝達パネル２０のパネル面に対して、斜めに配置されている。すなわち、表示部６０は、画像表示面６１の左側を後方、右側を前方にして、画像表示面６１に表示された直視画像Ｐ４をやや中央に向けて出射するようになっている。【００３３】
また、本実施の形態では、結像面３０は、表示部６０の画像表示面６１上方に、画像表示面６１と略垂直に形成される。これにより、表示部６０に表示される直視画像Ｐ５を、例えば、浮遊画像Ｐ２の影や映りこみの画像とすることも可能であり、浮遊画像Ｐ２の立体感をより強調することができる。【００３４】
また、本実施の形態では、結像面３０は、表示部４０の画像表示面４１よりも手前（＋Ｘ方向）に配置されている。すなわち、直視画像の画像表示面４１と浮遊画像の結像面３０は、奥行き方向（Ｘ方向）に離間して配置されている。このため、本実施形態では、手前に表示される浮遊画像Ｐ２をより目立たせることができるとともに、浮遊画像Ｐ２の遠近感を強調することができる。さらには、画像表示装置１００は、後述するように、結像面３０近傍の空間における観察者Ｈの被検出体（例えば、指など）Ｆの動きを検出する機能を備えるが、本実施の形態では、結像面３０の奥行き方向に画像表示面４１を配置する構成なので、被検出体Ｆが移動しやすい開放空間を形成している。【００３５】
なお、直視画像表示部２の配置構成はこれに限定されず、他の配置構成であってもよい。例えば、表示部４０及び表示部５０の両方を画像伝達パネル２０のパネル面と、同一平面上に配置してもよいし、図７（ｂ）に示すように、表示部４０及び表示部５０を左右（Ｙ方向）に対称にハの字状に広がるように配置してもよい。また、直視画像表示部２を構成する表示部の数もこれに限定されず、例えば、１つの表示部や２つの表示部で直視画像表示部２を構成するようにしてもよい。【００３６】
次に、図８を参照しつつ、本実施の形態に係る画像表示装置１００の画像制御について説明する。画像表示装置１００は、制御機構として、画像制御部１１０及び位置検出部１２０を備えている。【００３７】
位置検出部１２０は、観察者Ｈの被検出体（例えば、指など）Ｆの位置及び動きを検出するセンサであり、検出した信号を画像制御部１１０に出力するようになっている。位置検出部１２０は、具体的には、表示部６０の画像表示面６１に配設され、画像表示面６１に対する被検出体Ｆの接触位置を検出するタッチセンサと、結像面３０近傍の空間における被検出体Ｆの位置及び動きを検出する空間センサから構成されている。すなわち、表示部６０の画像表示面６１はタッチパネル領域であり、また、結像面３０近傍の空間は空間センサ検知領域となっている。なお、タッチセンサ及び空間センサはいずれの方式であってもよく、例えば、静電容量式や抵抗膜方式のタッチセンサ、光学式の空間センサなどが想定される。また、本実施の形態では、２つのセンサを配設して被検出体Ｆの位置を検出するようにしたが、センサの構成もこれに限定されず、表示部６０の画像表示面６１及び結像面３０近傍の空間において被検出体Ｆの位置を検出できるのであれば、どのようなセンサで構成してもよい。【００３８】
画像制御部１１０は、表示部１０、表示部４０、表示部５０及び表示部６０に表示する画像データをそれぞれ生成するようになっている。そして、各表示部のディスプレイ駆動部は、画像制御部１１０が生成したそれぞれの画像データに対応した画像を画像表示面に表示する。また、画像制御部１１０は、位置検出部１２０の出力信号に応じて、表示部１０に表示する画像Ｐ１、表示部４０、５０及び６０に表示する直視画像Ｐ３、Ｐ４及びＰ５を変化させるように制御している。すなわち、画像制御部１１０は、観察者Ｈの被検出体Ｆの位置や動きに応じて、浮遊画像Ｐ２や直視画像Ｐ３〜Ｐ５を変化させるようになっている。【００３９】
次に、図９を用いて、本実施の形態に係る画像表示装置１００の浮遊画像と直視画像を連動させた演出（以下、連動演出という）について説明する。図９は、画像表示装置１００の連動演出の動作を示すフローチャートである。ここで、実線部分は画像表示装置１００の動作を示しており、点線部分は観察者Ｈの動作を示している。【００４０】
まず、画像表示装置１００の画像制御部１１０は、結像面３０に浮遊画像Ｐ２を表示する（ステップＳ１０）。この浮遊画像Ｐ２は、シンボル画像（処理の内容や機能が直感的に判るような画像）であり、観察者Ｈは、浮遊画像Ｐ２として表示されたシンボル画像を見ることで、シンボル画像が意味する処理の内容を把握することができる。また、シンボル画像は、後述するように、観察者Ｈが操作する操作対象としてのアイテム（操作オブジェクト）でもある。そのため、浮遊画像Ｐ２として表示されたシンボル画像を以下、３Ｄアイコンともいう。【００４１】
浮遊画像Ｐ２である３Ｄアイコンが表示されると、観察者Ｈは、３Ｄアイコンを操作しようとして、３Ｄアイコン近傍において被検出体（例えば、指など）Ｆを特定の方向に移動させる（ステップＳ１５）。この場合、被検出体Ｆは３Ｄアイコンに触れてもよいし、触れなくてもよい。なお、連動演出においては、前提として、３Ｄアイコンを特定の方向に操作しようとする動作、すなわち、被検出体Ｆを特定の方向に移動する動作は、３Ｄアイコンの実行（または非実行）を意味するようになっている。具体的には、観察者Ｈの被検出体Ｆを左方に移動したときは、表示されていた３Ｄアイコンの機能を実行し、観察者Ｈの被検出体Ｆを右方に移動したときは、表示されていた３Ｄアイコンの機能を実行しないようになっている。このように本実施の形態では、被検出体Ｆの移動方向によって、３Ｄアイコンに対して異なる指示を与えるようになっている。本フローでは、ステップＳ１５において、被検出体Ｆが３Ｄアイコンの機能を実行する指示をしたものとして以下を説明する。【００４２】
画像表示装置１００の位置検出部１２０（空間センサ）が、被検出体Ｆの特定の方向への移動を検出すると（ステップＳ２０）、画像制御部１１０は、表示されていた３Ｄアイコンに割り当てられていた機能を実行する。まず、画像制御部１１０は、３Ｄアイコンの画像を変化させる（ステップＳ３０）。詳しくは、結像面３０に表示された３Ｄアイコンが、結像面３０から表示部４０の画像表示面４１に移動するような画像表現を行うべく、表示部１０の二次元画像Ｐ１を制御する（ステップＳ３０）。本実施の形態では、表示部４０の画像表示面４１は結像面３０より左方（−Ｙ方向）かつ後方（−Ｘ方向）に配置されているので、具体的には、結像面３０の略中央に表示されていた３Ｄアイコンを左方に移動させつつ、その大きさを徐々に小さくし、最後には消えるような画像制御を行う。【００４３】
このような画像制御により、観察者Ｈは、３Ｄアイコンが結像面３０から画像表示面４１に移動し、表示部４０の画像表示面４１に落ちていくような演出を見ることができる。【００４４】
本実施の形態においては、画像表示装置１００の構成で述べたように、表示部４０の画像表示面４１は浮遊画像Ｐ２の結像面３０の左方かつ後方に配置されているので、被検出体Ｆを左方向に移動させる動作は、３Ｄアイコンを画像表示面４１に移動させるような動作でもあり、３Ｄアイコンを画像表示面４１に投げ込むような動作でもある。すなわち、本実施の形態においては、観察者Ｈが、３Ｄアイコンを画像表示面４１に移動させるような動作をすることにより、画像表示装置１００は、３Ｄアイコンが結像面３０から画像表示面４１に落ちていくような画像制御を行い、観察者Ｈの動作と浮遊画像Ｐ２の動作を違和感なく関連づけるようになっている。【００４５】
次いで、浮遊画像Ｐ２として表示された３Ｄアイコンが消滅すると（３Ｄアイコンが結像面３０から画像表示面４１に移動すると）、画像表示装置１００の画像制御部１１０は、３Ｄアイコンに関連する情報が、表示部４０の画像表示面４１上で展開されるような画像制御を行う（ステップＳ４０）。すなわち、現在、表示部４０に表示されている直視画像Ｐ３に対して、３Ｄアイコンに割り当てられた機能をさらに実行して、実行した結果を反映した直視画像Ｐ３を画像部４０に表示する。【００４６】
このような画像制御により、観察者Ｈは、浮遊画像Ｐ２として存在した３Ｄアイコンが画像表示面４１に移動し、移動した先の画像表示面４１上で、所望の処理を実行して、所望の処理結果を表示したかのような感覚を味わうことができる。すなわち、連動演出は、奥行き方向に段差がある浮遊画像面と直視画像面の間を跨って、３Ｄアイコンの機能を実行するかのような感覚を観察者Ｈに与えることができる。【００４７】
このように本実施の形態に係る画像表示装置１００の連動演出は、従来にない新規な演出であり、直視画像と浮遊画像の連動を強めて、演出効果をより高めることができる。また、直視画像と浮遊画像を連動させることにより、ユーザに直感的でわかりやすい操作や情報表示を実現することができる。【００４８】
なお、図９に示す連動演出の処理フローでは、ステップＳ３０のシンボル画像の変化が終了してから、ステップＳ４０のシンボル画像に関連する情報が直視画像面上で展開されるようにしたが、画像制御の順序はこれに限定されるものではなく、ステップＳ３０とステップＳ４０を同時並行して実行するようにしてもよい。すなわち、シンボル画像を変化させつつ、シンボル画像に関連する情報が直視画像面上で展開されるようにしてもよい（浮遊画像Ｐ２として存在した３Ｄアイコンが画像表示面４１に移動中に、画像表示面４１上で３Ｄアイコンに割り当てられた機能を実行するようにしてもよい）。【００４９】
本実施の形態においては、表示されていた３Ｄアイコンの機能を実行しない方向、具体的には、浮遊画像Ｐ２の右方向には、表示部５０の画像表示面５１を配置したが、浮遊画像Ｐ２の右方向には、必ずしも直視画像を表示する画像表示面を配置しなくてもよい。つまり、直視画像を表示する画像表示面が存在しない方向に３Ｄアイコンを移動して、３Ｄアイコンを非表示にすることで、機能を実行しないことを表現してもよい。また、表示されていた３Ｄアイコンの機能を実行しない方向に、直視画像を表示する画像表示面がある場合には、後述する「ゴミ箱」のように機能を実行しないことを示すオブジェクトを画像表示面上に表示するようにしてもよい。【００５０】
以下、本実施の形態に係る画像表示装置１００の連動演出を具体的に説明する。【００５１】
（演出態様１）
図１０及び図１１を参照して、画像表示装置１００の連動演出の演出態様１について説明する。図１０及び図１１は、連動演出の演出態様１の概要を示す図である。演出態様１においては、画像表示装置１００は、例えば自動車などの移動体に搭載されるカーナビゲーションシステムの機能を有する。なお、前提として、演出態様１では、表示部４０には移動体の走行する位置を地図画像として表示し、表示部６０には検索対象のメニュー画面を表示して、移動体の現在地周辺の検索を行う。【００５２】
まず、画像表示装置１００は、表示部６０にメニューリストを表示するので（図１０（ａ）参照）、観察者（運転者）Ｈは、表示部６０の画像表示面６１上に表示されたメニューリストの中から所望のメニューに指Ｆで触れる（図１０（ｂ）参照）。具体的には、画像表示装置１００はコンビニエンスストア、ガソリンスタンド、駐車場などの店や施設を検索するメニューを表示部６０に表示し、観察者Ｈがメニューリストの中から「ガソリンスタンド」のメニューに触れ、「ガソリンスタンド」を選択したとする。これにより、表示部６０に表示されたメニューリストのうち、選択された「ガソリンスタンド」のメニューの色が変わるので、観察者Ｈは、自分が選択したメニューを確認することができる。【００５３】
画像表示装置１００は、観察者Ｈの指Ｆが触れた位置から選択されたメニューが「ガソリンスタンド」であることを把握すると（詳しくは、位置検出部１２０のタッチセンサが指Ｆの接触位置を検出し、画像制御部１１０が検出位置から選択されたメニューを判断すると）、浮遊画像Ｐ２として、「ガソリンスタンド」に対応した画像である「ガソリン供給機」の３Ｄアイコンを表示する（図１０（ｃ）参照；図９のステップＳ１０に相当）。これにより、観察者Ｈは、自分が検索対象として「ガソリンスタンド」を選択し、ガソリンスタンドの場所を検索しようとしていることを浮遊画像Ｐ２により確認することができる。【００５４】
次に、観察者Ｈは、「ガソリン供給機」の３Ｄアイコンの近傍に指Ｆを持って行き（図１１（ａ）参照）、指Ｆで「ガソリン供給機」の３Ｄアイコンを表示部４０の画像表示面４１に移動させるような動きを行う（指Ｆを左方に移動する動きを行う）（図１１（ｂ）参照；図９のステップＳ１５に相当）。【００５５】
画像表示装置１００は、観察者Ｈの指Ｆの動きから、当該メニューの実行（ガソリンスタンドの検索）を判断すると（詳しくは、位置検出部１２０の空間センサが指Ｆの位置及び動きを検出し、検出した指Ｆの位置及び動きから、画像制御部１１０が当該メニューの実行を判断すると）、「ガソリン供給機」の３Ｄアイコンを左に移動させるとともに、その大きさを段々と小さくするように浮遊画像Ｐ２を変化させる（図１１（ｂ）参照；図９のステップＳ２０，Ｓ３０に相当）。その結果、最終的には、「ガソリン供給機」の３Ｄアイコンは消える。【００５６】
このように、観察者Ｈが「ガソリン供給機」の３Ｄアイコンを表示部４０の画像表示面４１に投げるような動作をすることにより、画像表示装置１００は、３Ｄアイコンを画像表示面４１に投げ込むような映像表現を行う。【００５７】
次いで、画像表示装置１００は、現在地周辺の地図情報から「ガソリンスタンド」の場所を検索して、表示部４０に表示された地図上の「ガソリンスタンド」が存在する場所に「ガソリン供給機」のアイコン画像Ｐ３ａ〜Ｐ３ｅを表示する（図１１（ｃ）参照；図９のステップＳ４０に相当）。詳しくは、「ガソリン供給機」の３Ｄアイコンが分裂して表示部４０の地図上に落ちていくような表現をしつつ、「ガソリン供給機」のアイコンＰ３ａ〜Ｐ３ｅを地図上に表示する。【００５８】
すなわち、画像表示装置１００は、「ガソリン供給機」の３Ｄアイコンを画像表示面４１に投げ込むような映像表現を行った後は、画像表示面４１に投げ込まれた「ガソリン供給機」のアイコンがばらまかれていくような映像表現を行う。これにより、観察者Ｈは、浮遊画像Ｐ２と直視画像Ｐ３のスムースに連動した演出を見ることができる。【００５９】
以上、演出態様１では、浮遊画像Ｐ２と直視画像Ｐ３を連動した演出を行うことにより、カーナビゲーションシステムの現在地周辺の検索をより臨場感あふれる画像でユーザに提供することができる。【００６０】
（演出態様２）
次に、図１２を参照して、画像表示装置１００の連動演出の演出態様２について説明する。図１２は、連動演出の演出態様２の概要を示す図である。演出態様２においては、画像表示装置１００は、例えば自動車などの移動体に搭載されるカーナビゲーションシステムの機能を有する。なお、演出態様２では、前提として、表示部４０には表示部４０には移動体の走行する位置を地図画像として表示し、渋滞情報を提供する。【００６１】
まず、移動体の通信装置が渋滞情報を受信すると、画像表示装置１００は、浮遊画像Ｐ２として「渋滞発生」を示す３Ｄアイコンをポップアップ表示するとともに、警告メッセージを表示部６０に表示する（図１２（ａ）参照；図９のステップＳ１０に相当）。なお、「渋滞発生」を示すアイコン画像は、例えば、図１２に示すように、複数の自動車が移動方向に連なっている画像である。観察者Ｈ（運転者）は、「渋滞発生」の３Ｄアイコン及び警告表示を見ることにより、移動体の移動先方向において渋滞が発生していることを把握することができる。【００６２】
次いで、観察者Ｈは、渋滞情報を必要とするか、しないかを選択する。具体的には、渋滞情報を必要とするときは、観察者Ｈの指Ｆを３Ｄアイコンの近傍に持って行き、指Ｆで３Ｄアイコンを表示部４０の画像表示面４１に移動させるような動きを行う（指Ｆを左方に移動する動きを行う）（図１２（ｂ）参照；図９のステップＳ２０に相当）。一方、渋滞情報を必要としないときは、観察者Ｈの指Ｆを３Ｄアイコンの近傍に持って行き、指Ｆで３Ｄアイコンを表示部５０の画像表示面５１に移動させるような動きを行う（指を右方に移動する動きを行う）（図１２（ｂ）参照）。【００６３】
観察者Ｈが、指Ｆを左方に移動したとき、すなわち、画像表示装置１００が、観察者Ｈの指Ｆの動きから、渋滞情報が必要であるという判断をしたときは（詳しくは、位置検出部１２０の空間センサが指Ｆの位置及び動きを検出し、検出した指Ｆの位置及び動きから、画像制御部１１０が渋滞情報の表示を行うと判断したとき）、画像表示装置１００は、渋滞情報提供サービスを実行する。具体的には、３Ｄアイコンを左に移動させるとともに、その大きさを段々と小さくするように浮遊画像Ｐ２を変化させる（図９のステップＳ２０，Ｓ３０に相当）。この結果、最終的には、「渋滞発生」の３Ｄアイコンは消える。【００６４】
このように、観察者Ｈが「渋滞発生」の３Ｄアイコンを表示部４０の画像表示面４１に投げるような動作をすることにより、画像表示装置１００は、３Ｄアイコンを画像表示面４１に投げ込むような映像表現を行う。【００６５】
次いで、画像表示装置１００は、受信した渋滞情報と地図情報から、渋滞地点の地図情報を取得して、表示部４０の地図上に表示する（図１２（ｃ）参照；図９のステップＳ４０に相当）。詳しくは、表示部４０に表示された地図画像を渋滞地点までスクロールさせて、渋滞地点周辺の地図画像を表示するとともに、渋滞地点Ｐ３ｆを所定の色で強調して表示する（図１２（ｃ）参照；図９のステップＳ４０に相当）。【００６６】
すなわち、画像表示装置１００は、「渋滞発生」の３Ｄアイコンを画像表示面４１に投げ込むような映像表現を行った後は、画像表示面４１に投げ込まれた「渋滞発生」のアイコンが処理を実行し、渋滞地点を強調して表示するような映像表現を行う。これにより、観察者Ｈは、浮遊画像Ｐ２と直視画像Ｐ３のスムースに連動した演出を見ることができる。【００６７】
一方、観察者Ｈが、指Ｆを右方に移動する動きをしたとき、すなわち、画像表示装置１００が、観察者Ｈの指Ｆの動きから、渋滞情報が必要でないという判断をしたときは（詳しくは、位置検出部１２０の空間センサが指Ｆの位置及び動きを検出し、検出した指Ｆの位置及び動きから、画像制御部１１０が渋滞情報の表示を行わないと判断したとき）、画像表示装置１００は、浮遊画像Ｐ２として表示された「渋滞発生」の３Ｄアイコンを右に移動させるとともに、その大きさを段々と小さくするように浮遊画像Ｐ２を変化させる。その結果、最終的には、「渋滞発生」の３Ｄアイコンは消える。【００６８】
このように、観察者Ｈが「渋滞発生」の３Ｄアイコンを表示部５０の画像表示面５１に投げるような動作をすることにより、画像表示装置１００は、３Ｄアイコンを画像表示面５１に投げ込むような映像表現を行う。【００６９】
次いで、画像表示装置１００は、表示部５０上に表示されている「ゴミ箱」Ｐ４ａのアイコンの中に「渋滞発生」のアイコンが入っていき、「ゴミ箱」Ｐ４ａが膨らむような画像表示を行う。【００７０】
すなわち、画像表示装置１００は、「渋滞発生」の３Ｄアイコンを画像表示面５１に投げ込むような映像表現を行った後は、画像表示面５１に投げ込まれた「渋滞発生」のアイコンが「ゴミ箱」の中に入っていき、「ゴミ箱」が膨らむような映像表現を行う。これにより、観察者Ｈは、浮遊画像Ｐ２と直視画像Ｐ３のスムースに連動した演出を見ることができる。【００７１】
以上、演出態様２では、浮遊画像Ｐ２と直視画像Ｐ３を連動した演出を行うことにより、渋滞情報の提供をより臨場感あふれる画像でユーザに提供することができる。【００７２】
（演出態様３）
次に、図１３及び図１４を参照して、画像表示装置１００の連動演出の演出態様３について説明する。図１３及び図１４は、連動演出の演出態様３の概要を示す図である。演出態様３においては、画像表示装置１００は、音楽再生装置の機能を有する。なお、演出態様３では、前提として、表示部６０には、ＣＤやレコード等のアルバムのタイトルメニューを表示し、観察者Ｈ（視聴者）が選択したアルバムの音楽を再生する。【００７３】
まず、画像表示装置１００は、表示部６０の画像表示面６１にタイトルメニューを表示するので（図１３（ａ）参照）、観察者Ｈは、スクロールバーを操作することにより、タイトルメニューをスクロールさせつつ、タイトルメニューの中から再生したいアルバムを探す（図１３（ｂ）参照）。再生したいアルバムが見つかったら、観察者Ｈは、画像表示面６１に表示された再生したいアルバムのタイトルに指Ｆで触れる（図１３（ｃ）参照）。画像表示装置１００は、観察者Ｈの指が触れた位置から選択されたアルバムを把握すると（詳しくは、位置検出部１２０のタッチセンサが指Ｆの接触位置を検出し、画像制御部１１０が検出位置から選択されたアルバムを判断すると）、選択されたアルバムのタイトル領域の色を変えるので（図１３（ｃ）参照）、観察者Ｈは、選択したアルバムのタイトルを確認することができる。【００７４】
次いで、観察者Ｈは画像表示面６１に触れた指Ｆを持ち上げると、画像表示装置１００は、この指の動き（指Ｆが表示部６０の画像表示面６１に触れてアルバムを選択した後、指Ｆが画像表示面６１から離れて上方に移動する動き）を検出するので、指Ｆの動きに合わせて、選択されたアルバムの「ジャケット画像」を浮遊画像Ｐ２として表示する（図１４（ａ）；図９のステップＳ１０に相当）。これは、位置検出部１２０（空間センサ）が指Ｆの位置（表示部６０の画像表示面６１からの高さ）を検出して、検出した指Ｆの高さに合わせて「ジャケット画像」を浮遊画像Ｐ２として表示するように画像制御するものである。そのため、指Ｆを画像表示面６１から徐々に上方に移動させていくと、指Ｆの動きに追随して、「ジャケット画像」の高さも徐々に高くなっていき、指Ｆの高さ位置まで浮遊画像Ｐ２が表示されることとなる。これにより、観察者Ｈは、あたかも自分が選択したレコードのアルバムを持ち上げたような感覚を味わうことができる。【００７５】
次いで、観察者Ｈは、持ち上げた「ジャケット画像」を表示部４０の画像表示面４１に移動させるような動きを行う（指を左方に移動する動きを行う）（図１４（ａ）参照；図９のステップＳ１５に相当）。【００７６】
画像表示装置１００は、観察者Ｈの指Ｆの動きから、選択されたアルバムの再生を把握すると（詳しくは、位置検出部１２０の空間センサが指Ｆの位置及び動きを検出し、検出した指Ｆの位置及び動きから、画像制御部１１０が選択されたアルバムの再生を判断する）、「ジャケット画像」を左に移動させるとともに、その大きさを段々と小さくするように浮遊画像Ｐ２を変化させる（図９のステップＳ２０，Ｓ３０に相当）。その結果、最終的には、浮遊画像Ｐ２として表示された「ジャケット画像」は消える。【００７７】
このように、観察者Ｈが「ジャケット画像」を表示部４０の画像表示面４１に投げるような動作をすることにより、画像表示装置１００は、「ジャケット画像」を画像表示面４１に投げ込むような映像表現を行う。【００７８】
次いで、画像表示装置１００は、表示部４０の画像表示面４１上に選択されたアルバムのジャケット画像、曲目リスト、歌詞情報などの属性情報を表示するとともに、選択されたアルバムの音楽を再生する（図１４（ｂ）参照；図９のステップＳ４０に相当）。【００７９】
すなわち、画像表示装置１００は、「ジャケット画像」を画像表示面４１に投げ込むような映像表現を行った後は、画像表示面４１に投げ込まれた「ジャケット画像」のアルバムの属性情報を表示する映像表現を行うとともに、当該アルバムの音楽を再生する。これにより、観察者Ｈは、浮遊画像Ｐ２と直視画像Ｐ３がスムースに連動した演出を見ることができるとともに、浮遊画像Ｐ２に関連づけられた音楽を聞くことができる。【００８０】
このように演出態様３の連動演出においては、視覚的な演出効果に加えて、聴覚的な演出効果を奏するものである。すなわち、図９のステップＳ４０において、展開される情報には、画像コンテンツだけではなく、音楽・音声コンテンツも含む意である。【００８１】
一方、観察者Ｈが、持ち上げたジャケット画像を表示部５０の画像表示面５１に移動させるような動きを行う（指を右方に移動する動きを行う）場合は、演出態様２と同様に、画像表示装置１００は、浮遊画像Ｐ２として表示された「ジャケット画像」の３Ｄアイコンを右に移動させるとともに、その大きさを段々小さくするように浮遊画像Ｐ２を変化させ、「ジャケット画像」の３Ｄアイコンを消滅させる。【００８２】
次いで、画像表示装置１００は、表示部５０上に表示されている「ゴミ箱」Ｐ４ａのアイコンの中に「ジャケット画像」のアイコンが入っていき、「ゴミ箱」Ｐ４ａが膨らむような画像表示を行う。【００８３】
すなわち、画像表示装置１００は、「ジャケット画像」の３Ｄアイコンを画像表示面５１に投げ込むような映像表現を行った後は、画像表示面５１に投げ込まれた「ジャケット画像」のアイコンが「ゴミ箱」の中に入っていき、「ゴミ箱」が膨らむような映像表現を行う。これにより、観察者Ｈは、浮遊画像Ｐ２と直視画像Ｐ３のスムースに連動した演出を見ることができる。【００８４】
この場合、浮遊画像Ｐ２として表示された「ジャケット画像」のアルバムの属性情報の表示および音楽の再生を行わず、観察者Ｈの次のアルバム選択を待つことになる。【００８５】
また、「ジャケット画像」を右方に移動しゴミ箱に入れる代わりに、「ジャケット画像」を持っていた手を放す操作（例えば、指を空間から抜く、つまんだ指を広げる）を行うと、持ち上げた「ジャケット画像」は下方に落ちてリストに戻る（表示部６０の画像表示面６１に移動する）ようにしてもよい。この場合も、手放した「ジャケット画像」のアルバムの属性情報の表示および音楽の再生を行わず、観察者Ｈの次のアルバム選択を待つことになる。【００８６】
以上、演出態様３では、浮遊画像Ｐ２と直視画像Ｐ３を連動した演出を行うことにより、音楽再生の提供をより臨場感あふれる画像でユーザに提供することができる。【００８７】
なお、上記実施形態では、浮遊画像表示部１の構成として、結像面３０上に実像を表示する方式（浮遊画像は一平面上に形成される方式；以下、３Ｄフローティングビジョン（登録商標）方式という）を採用したが、浮遊画像表示部１の構成はこの方式に限定されるものではなく、空間中に実像を表示する方式であればいずれの方式であってもよい。例えば、浮遊画像として実像を表示するＩＰ（インテグラルフォトグラフィ）方式を採用してもよい。【００８８】
図１５は、ＩＰ方式を採用した画像表示装置１００Ａの概略構成図である。ＩＰ方式の場合には、図１５に示すように、画像伝達パネル２０Ａは、３Ｄフローティングビジョン（登録商標）方式の場合よりも、表示部１０に近い位置に配置される。具体的には、画像伝達パネル２０Ａは、ピンホールアレイ、マイクロレンズアレイ、レンチキュラーレンズなどであり、画像伝達パネル２０Ａは、一平面上に結像させるのではなく、表示部１０からの出射光の方向を変える若しくは制御するために用いられるので、浮遊画像Ｐ２は、奥行きを持った浮遊画像Ｐ２Ａとして形成される。【００８９】
すなわち、本実施の形態に係る浮遊画像には、空間中の所定の平面上に表示される二次元画像Ｐ２の他、空間中に物理的に奥行きを持って表示される三次元画像Ｐ２Ａも含まれる。【００９０】
例えば、演出態様３の場合には、浮遊画像Ｐ２として表示されるジャケット画像が固定された一平面上でなく、奥行き方向（図６に示すＸ方向）に可変的に表示可能となるので、選択したアルバムの位置に合わせて（画像表示面６１の接触位置に合わせて）、接触位置の上方に形成される一平面上に浮遊画像Ｐ２を表示することができる。そのため、観察者Ｈは、あたかも自分が選択したレコードのアルバムを持ち上げたような感覚をよりリアルに味わうことができる。【００９１】
なお、画像表示装置１００ＡのＩＰ方式の場合には、奥行きを持った浮遊画像Ｐ２Ａを表示するため、画像表示装置１００の３Ｄフローティングビジョン（登録商標）方式の場合よりも、表示部１０に表示する二次元画像の画像制御が複雑となるので、簡単に立体画像を制作するという観点から見ると、画像表示装置１００の３Ｄフローティングビジョン（登録商標）方式がより好適である。【００９２】
以上、述べたように本実施の形態に係る画像表示装置１００は、二次元画像を表示する画像表示面１１を備えた表示部１０と、画像表示面１１から出射される光の光路に配置された画像伝達パネル２０と、を備え、画像表示面１１から出射される光を画像伝達パネル２０の表示部１０と対向する側と反対側に位置する空間に、浮遊画像として表示する浮遊画像表示部１と、二次元画像を表示する画像表示面４１を備えた表示部４０を備え、画像表示面４１に表示される二次元画像を直視画像として表示する直視画像表示部２と、浮遊画像と直視画像を連動して制御する画像制御部１１０と、を有し、画像制御部１１０は、所定のオブジェクトを前記浮遊画像として表示し、浮遊画像として表示された所定のオブジェクトが、特定な第１の方向である、前記浮遊画像の表示位置から画像表示面４１に移動するように、浮遊画像を表示する浮遊画像制御と、所定のオブジェクトの移動中または移動後に、所定のオブジェクトに対応づけられた処理を実行し、実行された処理を反映した二次元画像を画像表示面上４１に表示する直視画像制御と、を行うので、直視画像と浮遊画像の連動を強めて、演出効果をより高めることができるとともに、ユーザに直感的でわかりやすい情報表示を行うことができる。【００９３】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。
【図１】
2009044437.tif 000003
【図２】
2009044437.tif 000004
【図３】
2009044437.tif 000005
【図４】
2009044437.tif 000006
【図５】
2009044437.tif 000007
【図６】
2009044437.tif 000008
【図７】
2009044437.tif 000009
【図８】
2009044437.tif 000010
【図９】
2009044437.tif 000011
【図１０】
2009044437.tif 000012
【図１１】
2009044437.tif 000013
【図１２】
2009044437.tif 000014
【図１３】
2009044437.tif 000015
【図１４】
2009044437.tif 000016
【図１５】
2009044437.tif 000017
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
二次元画像を表示する第１の画像表示面を備えた第１の表示部と、
前記第１の画像表示面から出射される光の光路に配置された画像伝達パネルと、を備え、
前記第１の画像表示面から出射される光を前記画像伝達パネルの前記第１の表示部と対向する側と反対側に位置する空間に、浮遊画像として表示する浮遊画像表示手段と、
二次元画像を表示する第２の画像表示面を備えた第２の表示部を備え、前記第２の画像表示面に表示される二次元画像を直視画像として表示する直視画像表示手段と、
前記浮遊画像と前記直視画像を連動して制御する画像制御手段と、を有し、
前記画像制御手段は、
所定のオブジェクトを前記浮遊画像として表示し、
前記浮遊画像として表示された前記所定のオブジェクトが、特定な第１の方向である、前記浮遊画像の表示位置から前記第２の画像表示面に移動するように、前記浮遊画像を表示する浮遊画像制御手段と、
前記所定のオブジェクトの移動中または移動後に、前記所定のオブジェクトに対応づけられた処理を実行し、実行された処理を反映した二次元画像を前記第２の画像表示面上に表示する直視画像制御手段と、
を有し、
前記第２の画像表示面は、前記浮遊画像を観察可能な観察位置から見て、前記浮遊画像の表示位置よりも奥に配置され、
前記画像制御手段は、
前記所定のオブジェクトが、前記第１の方向とは異なる特定の第２の方向に移動した場合には、前記オブジェクトに対応づけられた処理は実行せず、
前記第２の方向には、前記第１の方向に配置された前記第２の画像表示面とは異なる別の第２の画像表示面をさらに有し、
前記画像制御手段は、
前記浮遊画像として表示された前記所定のオブジェクトが、前記第２の方向である、前記浮遊画像の表示位置から前記別の第２の画像表示面に移動するように、前記浮遊画像を表示する第２の浮遊画像制御手段と、
前記所定のオブジェクトの移動中または移動後に、前記所定のオブジェクトに対応づけられた処理を実行しない旨を示す二次元画像を前記別の第２の画像表示面上に表示する第２の直視画像制御手段と、
を有することを特徴とする画像表示装置。
【請求項２】
前記浮遊画像近傍の空間において、観察者の少なくとも一部である被検出体の位置を検出する位置検出手段をさらに備え、
前記画像制御手段は、
前記位置検出手段が検出した前記被検出体の移動方向が前記第１の方向である場合には、前記浮遊画像制御手段及び前記直視画像制御手段を実行し、前記位置検出手段が検出した前記被検出体の移動方向が前記第２の方向である場合には、前記オブジェクトに対応づけられた処理を実行しない、若しくは前記第２の浮遊画像制御手段及び前記第２の直視画像制御手段を実行することを特徴とする請求項１記載の画像表示装置。
【請求項３】
前記所定のオブジェクトに対応づけられた処理は、前記第２の画像表示面に表示される画像コンテンツの表示に加えて、音楽・音声コンテンツの再生も含むことを特徴とする請求項１又は２記載の画像表示装置。
【請求項４】
前記浮遊画像は、前記第１の画像表示面に表示された二次元画像に基づく実像であることを特徴とする請求項１乃至３のいずれか１項に記載の画像表示装置。
【請求項５】
前記浮遊画像は、前記画像伝達パネルによって空間中の結像面に結像された実像であることを特徴とする請求項４記載の画像表示装置。
【請求項６】
前記浮遊画像制御手段は、
浮遊画像として表示された前記所定のオブジェクトを、前記所定のオブジェクトが最初に表示された第１の地点からより前記第２の画像表示面に近い第２の地点に移動させつつ、前記所定のオブジェクトの大きさを小さくし、最終的には前記所定のオブジェクトを非表示とすることを特徴とする請求項１又は２記載の画像表示装置。
【国際調査報告】
2009044437.tif 000018
2009044437.tif 000019
2009044437.tif 000020
2009044437.tif 000021